(57)【特許請求の範囲】
【請求項１】
遊技盤と交差する方向である前後方向の回動軸線周りに回動可能に配置され、遊技球の流下方向に対して上流側に開口する可変入賞口を形成する回動翼片を備え、前記回動翼片は、前記回動軸線よりも上流側において前後方向の駆動軸線に沿って直線的に変位する駆動部を有する駆動アクチュエータにより、遊技球の入賞が相対的に困難な第一開口位置と、入賞が相対的に容易な第二開口位置とに前記可変入賞口の開口態様を変更可能とされた遊技機用入賞装置であって、
前記駆動部の直線的な変位に伴い、前記第一開口位置に対応する第一回転位置と前記第二開口位置に対応する第二回転位置との間を駆動回転範囲として、前記回動軸線と交差する第一回転軸線周りに駆動回転可能に配置された第一伝達部材と、
前記第一伝達部材の駆動回転との連動関係を保ちつつ、前記第一回転軸線と平行な第二回転軸線周りに従動回転して、前記回動翼片を前記回動軸線周りに回動させる第二伝達部材とを備え、
前記第一伝達部材と第二伝達部材との間には、
前記第一伝達部材の駆動回転範囲のうち、前記第一開口位置と第二開口位置との間の所定の連動回転区間において、前記第二伝達部材が前記第二回転軸線周りに従動回転するように、前記第一及び第二伝達部材を同時に同方向に回転させるための連動機構と、
前記第一伝達部材が前記第一回転位置にあるとき、前記第一伝達部材に対する前記第二伝達部材の相対回転を阻止するためのロック機構とが形成され、
前記第一及び第二回転軸線は、前記駆動部の駆動軸線よりも下流側であって、前記回動翼片の回動軸線よりも上流側に位置することを特徴とする遊技機用入賞装置。
【請求項２】
前記連動機構及びロック機構は、前記第一伝達部材の駆動回転範囲において、前記駆動部の駆動軸線よりも常に下流側に位置している請求項１に記載の遊技機用入賞装置。
【請求項３】
前記第一回転軸線と第二回転軸線とは、前記駆動部の駆動軸線から等しい距離を隔てて下流側に配置されるとともに、
前記第二回転軸線は前記第一回転軸線よりも後方側に位置する請求項１又は２に記載の遊技機用入賞装置。
【請求項４】
前記ロック機構は、前記第一伝達部材が前記第一回転位置にあるとき、前記第一回転軸線よりも下流側にて前記第一及び第二伝達部材を係止するロック部を有し、
前記第一伝達部材が前記駆動回転範囲において前記第一回転位置から前記第二回転位置へ駆動回転するとき、前記連動回転区間に先立って、前記第二伝達部材が前記第二回転軸線周りでの従動回転を停止する非連動回転区間が設定され、その非連動回転区間において前記ロック部の係止が解除される請求項１ないし３のいずれか１項に記載の遊技機用入賞装置。
【請求項５】
前記ロック部には、前記第一回転位置において前記第一及び第二伝達部材を係止するロック位置が前記第一回転軸線の下流側直下に形成される請求項４に記載の遊技機用入賞装置。
【請求項６】
前記連動機構は、前記連動回転区間において前記第一及び第二伝達部材が前記第一回転軸線よりも前方側にて当接する係合部を有し、
前記第二回転軸線から前記係合部の当接位置に至る第二回転アームの長さは、前記第一回転軸線から前記当接位置に至る第一回転アームの長さよりも大に設定されている請求項１ないし５のいずれか１項に記載の遊技機用入賞装置。
【請求項７】
請求項１ないし６のいずれか１項に記載の遊技機用入賞装置を前記遊技盤に備えたことを特徴とする遊技機。
【発明の詳細な説明】
【技術分野】
【０００１】
本発明は、遊技機用入賞装置及びそれを備えた遊技機に関する。
【背景技術】
【０００２】
従来より、例えば電動チューリップと称される遊技機用入賞装置は、一体的に形成された本体部に駆動アクチュエータ、伝達部材、一対の回動翼片（いわゆるチューリップ）等が取り付けられている。そして、このような入賞装置は、一対の回動翼片間に形成される可変入賞口に遊技球が入球したことに起因して、賞球払出が行われたり特別遊技（大当たり）を発生させるための抽選（乱数取得）が行われたりすることで、遊技において重要な役割を果たしている。そのために、入賞装置は不正行為（通称、ゴト行為）の標的となり易い。例えば、遊技機内に針金等の異物を挿入し、回動翼片を強制的に開放位置に移動する不正行為により、賞球を不正に獲得されるおそれがある。また、近年、遊技盤の中央領域に設置する表示装置、役物等の大型化や、遊技盤に対して遊技球を右打ち、左打ちするような遊技の多様化に対応するために、これらの入賞装置にも、一層の小型化が要請されている。
【０００３】
そこで、ソレノイド（駆動アクチュエータ）のプランジャの前進・後退に応じて回動することにより、可動翼片（回動翼片）を起立姿勢・傾倒姿勢に回動させる操作アーム（伝達部材）を設けるとともに、プランジャの前進動に伴って移動して操作アームをロックするストッパ部材（ロック機構）を設ける技術が開示されている（特許文献１参照）。
【０００４】
このような技術を用いることにより、入賞装置の大型化を避けつつ、不正防止機構であるストッパ部材を組み込むことができる。しかしながら、特許文献１では、ストッパ部材を前進・後退移動させ、かつ操作アームの回動を規制するために、かなり大きな前後方向のスペースを必要とする。特に、ストッパ部材がプランジャの軸線を横断して上下に跨って設けられているので、特許文献１の技術を用いて前後方向の小型化を図るには限界がある。また、プランジャの軸線よりも上方に突出するストッパ部材等により、可変入賞口の上方に固定型の入賞口を併設するタイプの入賞装置には適用できない場合がある。
【先行技術文献】
【特許文献】
【０００５】
【特許文献１】特開２００７−３２５６７０号公報
【発明の概要】
【発明が解決しようとする課題】
【０００６】
本発明の課題は、駆動アクチュエータの駆動部の直線的変位を回動翼片に伝達するために、不正行為を防止するためのロック機構を有する伝達部材をコンパクトに組み込んで全体構造（例えば前後方向の寸法及び遊技球流下方向の寸法）の小型化を図ることのできる遊技機用入賞装置と、その入賞装置を備えた遊技機を提供することにある。
【課題を解決するための手段及び発明の効果】
【０００７】
上記の課題を解決するために、本発明の遊技機用入賞装置は、
遊技盤と交差する方向である前後方向の回動軸線周りに回動可能に配置され、遊技球の流下方向に対して上流側に開口する可変入賞口を形成する回動翼片を備え、前記回動翼片は、前記回動軸線よりも上流側において前後方向の駆動軸線に沿って直線的に変位する駆動部を有する駆動アクチュエータにより、遊技球の入賞が相対的に困難な第一開口位置と、入賞が相対的に容易な第二開口位置とに前記可変入賞口の開口態様を変更可能とされた遊技機用入賞装置であって、
前記駆動部の直線的な変位に伴い、前記第一開口位置に対応する第一回転位置と前記第二開口位置に対応する第二回転位置との間を駆動回転範囲として、前記回動軸線と交差する第一回転軸線周りに駆動回転可能に配置された第一伝達部材と、
前記第一伝達部材の駆動回転との連動関係を保ちつつ、前記第一回転軸線と平行な第二回転軸線周りに従動回転して、前記回動翼片を前記回動軸線周りに回動させる第二伝達部材とを備え、
前記第一伝達部材と第二伝達部材との間には、
前記第一伝達部材の駆動回転範囲のうち、前記第一開口位置と第二開口位置との間の所定の連動回転区間において、前記第二伝達部材が前記第二回転軸線周りに従動回転するように、前記第一及び第二伝達部材を同時に同方向に回転させるための連動機構と、
前記第一伝達部材が前記第一回転位置にあるとき、前記第一伝達部材に対する前記第二伝達部材の相対回転を阻止するためのロック機構とが形成され、
前記第一及び第二回転軸線は、前記駆動部の駆動軸線よりも下流側であって、前記回動翼片の回動軸線よりも上流側に位置することを特徴とする。
【０００８】
このような遊技機用入賞装置によれば、第一及び第二回転軸線が、駆動部の駆動軸線よりも下流側であって、回動翼片の回動軸線よりも上流側に位置することによって、第一伝達部材（駆動伝達部材）及び第二伝達部材（従動伝達部材）は、不正行為を防止するためのロック機構を含め、実質的に駆動部の駆動軸線よりも下流側（例えば下方側）において、回動翼片の回動軸線の近傍に位置させることが可能になる。したがって、ロック機構をコンパクトに組み込んで、入賞装置の小型化、特に、前後方向の寸法や遊技球流下方向（例えば上下方向）の寸法の小型化を図ることができる。また、駆動部の駆動軸線よりも上流側（例えば上方側）への第一及び第二伝達部材の突出量が小さくなるので、可変入賞口の上方に固定型の入賞口を併設するタイプの入賞装置にも適用できる。
【０００９】
なお、本発明の「駆動アクチュエータ」として、ソレノイド、リニアステッピングモータ等を用いることができる。その場合の「駆動部材」は、ソレノイドにあってはプランジャ、リニアステッピングモータにあっては駆動ねじである。また、本発明の「回動翼片」は、一対の平行な回動軸線周りに回動可能な一対の回動翼片と、単一の回動軸線周りに回動可能な単一の回動翼片とを含む。さらに、第一伝達部材の駆動回転範囲において、第二伝達部材が第二回転軸線周りでの従動回転を停止する「非連動回転区間」では、ロック機構のロック作動又はロック解除が行われる。
【００１０】
上記のような遊技機用入賞装置において、連動機構及びロック機構が、第一伝達部材の駆動回転範囲において、駆動部の駆動軸線よりも常に下流側に位置するように第一及び第二伝達部材を配置すれば、前後方向や遊技球流下方向での一層の小型化を図ることができる。
【００１１】
さらに、第一回転軸線と第二回転軸線とは、駆動部の駆動軸線から等しい距離を隔てて下流側に配置されるとともに、
第二回転軸線は第一回転軸線よりも後方側に位置することが望ましい。
【００１２】
これによって、第二伝達部材を第一伝達部材よりも相対的に後方へ位置させることが可能となり、これに伴って回動翼片を後方へ移動する（実際には第二伝達部材等を前方へ移動する）ことができる。つまり、駆動アクチュエータの駆動部と回動翼片とを前後方向において相対接近させて、前後方向の寸法をさらに短縮することができる。なお、第二回転軸線は駆動アクチュエータ（ソレノイド）の下流側（下方）に位置してもよい。
【００１３】
そして、これらの遊技機用入賞装置において、
ロック機構は、第一伝達部材が第一回転位置にあるとき、第一回転軸線（及び第二回転軸線）よりも下流側にて第一及び第二伝達部材を係止するロック部を有し、
第一伝達部材が駆動回転範囲において第一回転位置から第二回転位置へ駆動回転するとき、連動回転区間に先立って、第二伝達部材が第二回転軸線周りでの従動回転を停止する非連動回転区間が設定され、その非連動回転区間においてロック部の係止を解除することができる。
【００１４】
このように、ロック機構（ロック部）を第一回転軸線よりもさらに下流側に配置することによって、駆動アクチュエータの下方空間をロック部におけるロック作動及びロック解除のためのスペースに活用でき、不正行為をより確実に防止できる。例えば、ロック部は、第一伝達部材と第二伝達部材とのうち、いずれか一方に第一及び第二回転軸線と平行な係止片を突出状に設けるとともに、他方に係止片の受止部を設けるものであってもよい。
【００１５】
具体的には、上記ロック部には、第一回転位置において第一及び第二伝達部材を係止するロック位置を第一回転軸線の下流側直下に形成することができる。
【００１６】
ロック位置を第一回転軸線の下流側直下に形成することによって、回動翼片から第二伝達部材を介して第一伝達部材へ加えられる不正な外力は、ロック位置において、非駆動状態（停止状態）の第一伝達部材に対し、第一回転軸線方向へ作用することになる。したがって、このような不正外力によって第二伝達部材が第二回転軸線周りに回転しようとしても、ロック部のロック位置が上記の位置に形成されているので、第二伝達部材（及び第一伝達部材）は回転できなくなる。
【００１７】
ここで、第一回転軸線の下流側直下に形成されるロック位置として、例えば、第一回転軸線を含む鉛直面上又はその面より若干後方側に設定するとよい。なお、「ロック位置」の接触状態は、点状の接触状態以外に、線状の接触状態や面状の接触状態であってもよい。また、第二回転軸線からロック位置に至る第二ロックアームの長さＬＡ２が、第一回転軸線からロック位置に至る第一ロックアームの長さＬＡ１よりも大（ＬＡ１＜ＬＡ２）となる場合がある。
【００１８】
一方、これらの遊技機用入賞装置において、
連動機構は、連動回転区間において第一及び第二伝達部材が第一回転軸線よりも前方側にて当接する係合部を有し、
第二回転軸線から係合部の当接位置に至る第二回転アームの長さＲＡ２は、第一回転軸線から当接位置に至る第一回転アームの長さＲＡ１よりも大（ＲＡ１＜ＲＡ２）に設定される場合がある。
【００１９】
このように、連動機構（係合部）を第一回転軸線よりもさらに前方側に配置することにより、回動翼片の近傍にて連動回転区間を容易に設定することができる。また、ＲＡ１＜ＲＡ２に設定されるので、駆動系（第一伝達部材）を小型化でき、ひいては入賞装置全体を小型化することができる。例えば、係合部は、第一伝達部材と第二伝達部材とのうち、いずれか一方に第一及び第二回転軸線と平行な突起部を突出状に設けるとともに、他方に突起部が挿通される切欠部を設けるものであってもよい。
【００２０】
なお、連動回転区間において、係合部における第一及び第二伝達部材の接触位置（当接位置）と、第二伝達部材及び回動翼片の接触位置とが、第一回転軸線よりも前方側にて近傍に位置する場合がある。この場合には、連動回転区間において、駆動アクチュエータから、第一伝達部材と第二伝達部材とを介して回動翼片に至る動力伝達が安定する。
【００２１】
そこで、上記課題を解決するために、本発明の遊技機は、
以上のような遊技機用入賞装置を遊技盤に備えたことを特徴とする。
【００２２】
このように、ロック機構をコンパクトに組み込んで、全体構造の小型化、特に、前後方向の寸法や遊技球流下方向（例えば上下方向）の寸法の小型化が図られた入賞装置を搭載することにより、多彩な盤面構成や遊技内容を有する遊技機を容易に実現することができる。
【００２３】
なお、本発明の遊技機には、パチンコ機、アレパチ機等の弾球遊技機が含まれる。
【図面の簡単な説明】
【００２４】
【図１】本発明に係る遊技機用入賞装置を備えた遊技機を例示する正面図。
【図２】本発明に係る遊技機用入賞装置の一例を示す全体斜視図。
【図３】回動翼片が閉鎖位置にあるときの正面図。
【図４】回動翼片が開放位置にあるときの正面図。
【図５】閉鎖位置における主要部の斜視図。
【図６】図５の側面図。
【図７】連動回転開始位置における側面図。
【図８】開放位置における側面図。
【図９】図８の斜視図。
【発明を実施するための形態】
【００２５】
（実施例）
以下、本発明の実施の形態につき、図面に示す実施例を参照して説明する。図１は、本発明に係る遊技機用入賞装置（以下、単に入賞装置ともいう）を備えた遊技機を例示する正面図である。図１に示すように、パチンコ機１００（遊技機）の遊技盤１０１の盤面（前面）には、擬似円形状の遊技領域１０１ａが形成されている。遊技領域１０１ａの中央には液晶表示部１０２が搭載され、液晶表示部１０２の下方（遊技領域１０１ａの中央下部）には電動チューリップ（電チュー）にて構成される入賞装置１が配置されている。
【００２６】
図２は入賞装置の一例を示す全体斜視図、図３は回動翼片が閉鎖位置にあるときの正面図、図４は回動翼片が開放位置にあるときの正面図である。図２〜図４に示すように、入賞装置１は、後方にケース体３、前方に前側装飾部４がそれぞれ固定された台板２を介して遊技盤１０１の遊技領域１０１ａ（図１参照）に装着される。入賞装置１は、前後方向に平行な一対の回動軸線Ｏ，Ｏ（回動軸５ａ，５ａ）周りに回動可能に配置され、上方に開口する可変入賞口１Ｖを形成する左右一対の回動翼片５Ｌ，５Ｒを備えている。回動翼片５Ｌ，５Ｒは、回動軸線Ｏ，Ｏよりも上方において前後方向の駆動軸線Ｄに沿って直線的に変位するプランジャ７（駆動部）を有するソレノイド９（駆動アクチュエータ）により（図５参照）、遊技球の入賞が相対的に困難な第一開口位置（図３；以下、閉鎖位置ともいう）と、入賞が相対的に容易な第二開口位置（図４；以下、開放位置ともいう）とに可変入賞口１Ｖの開口態様を変更可能である。なお、回動軸５ａは台板２と前側装飾部４とに軸支されている。また、符号１Ｒは、可変入賞口１Ｖの直上において、台板２、ケース体３及び前側装飾部４に跨って形成された固定入賞口を示している。
【００２７】
本明細書において、上下方向とは遊技盤１０１の盤面に沿う形で遊技球が流下する方向（例えば、鉛直方向）を意味する。また、左右方向とは遊技盤１０１の盤面に沿う形で上下方向と交差する方向（例えば、水平方向）を意味し、遊技者側からみて左側、右側をいう。さらに、前後方向とは遊技盤１０１の盤面と交差（例えば、直交）する方向を意味し、遊技者側（手前側）が前方側であり、その反対側（奥側）が後方側となる。
【００２８】
図５は閉鎖位置における主要部の斜視図、図６はその側面図、図７は連動回転開始位置における側面図、図８は開放位置における側面図、図９はその斜視図である。図５に示すように、この入賞装置１は駆動伝達部材１０（第一伝達部材）と従動伝達部材２０（第二伝達部材）とを備えている。駆動伝達部材１０は、左右一対の板状の駆動アーム１１Ｌ，１１Ｒと、その駆動アーム１１Ｌ，１１Ｒを上端部において前後２ヶ所で水平状に連結する連結部１２，１２とを有する。各々の駆動アーム１１Ｌ，１１Ｒは、プランジャ７の直線的な変位に伴って、回動翼片５Ｌ，５Ｒの閉鎖位置に対応する第一回転位置（図６参照）と、回動翼片５Ｌ，５Ｒの開放位置に対応する第二回転位置（図８参照）との間を駆動回転範囲として、左右方向の第一回転軸線Ｏ１（第一回転軸１１ａ）周りに駆動回転可能である。
【００２９】
具体的には、プランジャ７の前端にフランジ状に一体形成されたプランジャヘッド７ａが駆動伝達部材１０の連結部１２，１２間に挿通され、第一回転軸１１ａはケース体３（図２参照）の内面に軸支されている。なお、ソレノイド９とプランジャヘッド７ａとの間には、圧縮コイルばね８が介装され、プランジャ７はコイル６に対して出退可能に挿入されている。
【００３０】
したがって、コイル６が通電解除（非励磁）状態では、圧縮コイルばね８の付勢力によりプランジャ７は前方に突出する（押し出される）。これに伴って、駆動伝達部材１０は第一回転軸線Ｏ１周りに一方向（例えば時計回り）に駆動回転して第一回転位置で停止する（図６参照）。他方、コイル６が通電（励磁）状態では、圧縮コイルばね８の付勢力に抗してプランジャ７は後方に退入する（引き込まれる）。これに伴って、駆動伝達部材１０は第一回転軸線Ｏ１周りに他方向（例えば反時計回り）に駆動回転して第二回転位置で停止する（図８参照）。
【００３１】
従動伝達部材２０は、左右一対の板状の従動アーム２１Ｌ，２１Ｒと、その従動アーム２１Ｌ，２１Ｒを上向きに凸の円弧状（半円状）に連結する連結部２２とを有する。各々の従動アーム２１Ｌ，２１Ｒは、駆動アーム１１Ｌ，１１Ｒの駆動回転との連動関係を保ちつつ、第一回転軸線Ｏ１と平行な第二回転軸線Ｏ２（第二回転軸２１ａ）周りに従動回転して、回動翼片５Ｌ，５Ｒを回動軸線Ｏ，Ｏ周りに回動させる。具体的には、回動翼片５Ｌ，５Ｒから後方へ向かって水平状に突出部５ｂが突出し、従動アーム２１Ｌ，２１Ｒの前方下部には、突出部５ｂを突入させるための切欠状凹部２１ｄが開口している。なお、第二回転軸２１ａはケース体３（図２参照）の内面に軸支されている。
【００３２】
また、図５〜図９に示すように、
（１）第一回転軸線Ｏ１及び第二回転軸線Ｏ２は、プランジャ７の駆動軸線Ｄよりも下方であって、回動翼片５Ｌ，５Ｒの回動軸線Ｏ，Ｏよりも上方に位置する。
（２）第一回転軸線Ｏ１と第二回転軸線Ｏ２とは、プランジャ７の駆動軸線Ｄから等しい距離Ｌを隔てて下方に配置されるとともに、第二回転軸線Ｏ２は第一回転軸線Ｏ１よりも後方側に位置する。具体的には、第二回転軸線Ｏ２はソレノイド９の下方に位置する。
【００３３】
これらにより、可変入賞口１Ｖの上方に固定入賞口１Ｒを併設する場合でも、入賞装置１の小型化、特に、前後方向や上下方向の寸法の小型化を図ることができる。
【００３４】
また、図７〜図９に示すように、駆動伝達部材１０と従動伝達部材２０との間には、以下に述べるような連動機構が形成されている。すなわち、左右の従動アーム２１Ｌ，２１Ｒには、第一回転軸線Ｏ１及び第二回転軸線Ｏ２と平行に突出する突起部２１ｂ（従動側係合部；係合部；連動機構）をそれぞれ設けるとともに、左右の駆動アーム１１Ｌ，１１Ｒには、突起部２１ｂが挿通される切欠部１１ｂ（駆動側係合部；係合部；連動機構）をそれぞれ設ける。そして、従動アーム２１Ｌ，２１Ｒの突起部２１ｂと駆動アーム１１Ｌ，１１Ｒの切欠部１１ｂとは、第一回転軸線Ｏ１よりも前方側にて当接する。なお、この当接状態において、突起部２１ｂと切欠部１１ｂとは、点状・線状・面状いずれの接触形態であってもよい。
【００３５】
図７〜図９に示す駆動伝達部材１０の駆動回転範囲において、切欠部１１ｂ，突起部２１ｂは次のように作用する。
（１）駆動アーム１１Ｌ，１１Ｒの切欠部１１ｂにおいて下縁部に形成される受け面（作用面）が従動アーム２１Ｌ，２１Ｒの突起部２１ｂ下面に接触したとき（図７）から、第二回転位置（図８，図９）に至る連動回転区間において、従動アーム２１Ｌ，２１Ｒが第二回転軸線Ｏ２周りに従動回転するように、駆動伝達部材１０と従動伝達部材２０とを同時に同方向（例えば反時計回り）に回転させる。
（２）第一回転位置（図５，図６）から、駆動アーム１１Ｌ，１１Ｒの切欠部１１ｂにおける作用面が従動アーム２１Ｌ，２１Ｒの突起部２１ｂ下面に接触するまで（図７）の非連動回転区間では、駆動伝達部材１０が駆動回転しても従動伝達部材２０は従動回転することなく停止状態である。
【００３６】
また、図７〜図９に示すように、
（１）第二回転軸線Ｏ２から切欠部１１ｂ，突起部２１ｂの当接位置ＣＰに至る第二回転アーム長さＲＡ２は、第一回転軸線Ｏ１から当接位置ＣＰに至る第一回転アーム長さＲＡ１よりも大（ＲＡ１＜ＲＡ２）に設定される。
（２）連動回転区間（図７〜図９）において、切欠部１１ｂ，突起部２１ｂにおける駆動アーム１１Ｌ，１１Ｒ及び従動アーム２１Ｌ，２１Ｒの接触位置（当接位置ＣＰ）と、従動アーム２１Ｌ，２１Ｒ及び回動翼片５Ｌ，５Ｒの接触位置とが、第一回転軸線Ｏ１よりも前方側で近傍に位置する。
これらによって、駆動系である駆動アーム１１Ｌ，１１Ｒを小型化でき、ひいては入賞装置１全体を小型化することができる。
【００３７】
なお、図６〜図８に示すように、第二回転軸線Ｏ２はプランジャヘッド７ａよりも後方側に位置しており、突起部２１ｂは、従動アーム２１Ｌ，２１Ｒの回転位置にかかわらず常にプランジャヘッド７ａよりも前方側に位置している。これによって、プランジャ７（プランジャヘッド７ａ）のストロークが第二回転アーム長さＲＡ２よりも小さくなるので、駆動アーム１１Ｌ，１１Ｒと従動アーム２１Ｌ，２１Ｒとの連動関係が円滑になる（図７，図８）とともに、第一回転位置において不正外力に対する安全性が高くなる（図６）。
【００３８】
さらに、図５，図６に示すように、駆動伝達部材１０と従動伝達部材２０との間には、以下に述べるようなロック機構が形成されている。すなわち、左右の従動アーム２１Ｌ，２１Ｒには、第一回転軸線Ｏ１及び第二回転軸線Ｏ２と平行に突出する係止片２１ｃ（従動側ロック部；ロック部；ロック機構）をそれぞれ設けるとともに、左右の駆動アーム１１Ｌ，１１Ｒには、係止片２１ｃの受止部１１ｃ（駆動側ロック部；ロック部；ロック機構）をそれぞれ設ける。そして、駆動伝達部材１０が第一回転位置（図５，図６）にあるとき、従動アーム２１Ｌ，２１Ｒの係止片２１ｃと駆動アーム１１Ｌ，１１Ｒの受止部１１ｃとは、第一回転軸線Ｏ１及び第二回転軸線Ｏ２よりも下方にて駆動伝達部材１０及び従動伝達部材２０をロック（係止）する。なお、上記した非連動回転区間（図６〜図７）及び連動回転区間（図７〜図８）では、係止片２１ｃと受止部１１ｃとのロック（係止）が解除される。
【００３９】
また、係止片２１ｃと受止部１１ｃとによって、第一回転位置（図５，図６）において駆動アーム１１Ｌ，１１Ｒ及び従動アーム２１Ｌ，２１Ｒを係止するロック位置ＬＰが、第一回転軸線Ｏ１の下方直下に形成される。このとき回動翼片５Ｌ，５Ｒから駆動アーム１１Ｌ，１１Ｒへ加えられる不正な外力は、ロック位置ＬＰにおいて、非駆動状態（停止状態）の駆動アーム１１Ｌ，１１Ｒに対し、第一回転軸線Ｏ１方向へ作用する。したがって、このような不正外力によって従動アーム２１Ｌ，２１Ｒが第二回転軸線Ｏ２周りに回転しようとしても、ロック位置ＬＰが第一回転軸線Ｏ１の下方直下に形成されているので、従動アーム２１Ｌ，２１Ｒ（及び駆動アーム１１Ｌ，１１Ｒ）は回転できなくなる。なお、ロック位置ＬＰは、第一回転軸線Ｏ１を含む鉛直面上又はその面より若干後方側に設定するとよい。このロック位置ＬＰにおいて、係止片２１ｃと受止部１１ｃとは、点状・線状・面状いずれの接触形態であってもよいが、点状よりも線状、線状よりも面状の方がロック効果は大きい。
【００４０】
また、第二回転軸線Ｏ２からロック位置ＬＰに至る第二ロックアーム長さＬＡ２が、第一回転軸線Ｏ１からロック位置ＬＰに至る第一ロックアーム長さＬＡ１よりも大（ＬＡ１＜ＬＡ２）となる。
【００４１】
さらに、連動機構（突起部２１ｂと切欠部１１ｂ）及びロック機構（係止片２１ｃと受止部１１ｃ）は、駆動アーム１１Ｌ，１１Ｒの駆動回転範囲（図６〜図８）において、プランジャ７の駆動軸線Ｄよりも常に下方に位置する。ただし、駆動アーム１１Ｌ，１１Ｒが第一回転位置（図６）にあるときには、これらの連動機構及びロック機構は、ともに第一回転軸線Ｏ１及び第二回転軸線Ｏ２よりも下方に位置しているが、第二回転位置（図８）にあるときには、ロック機構は第一回転軸線Ｏ１及び第二回転軸線Ｏ２よりも下方に位置し、連動機構は上方に位置する。
【００４２】
次に、以上のような構造及び機能を有する入賞装置１の作動について、再び図５〜図９を参照し、駆動アーム１１Ｌ，１１Ｒ（駆動伝達部材１０）の回転状態に基づいて説明する。
【００４３】
＜Ａ：第一回転位置＞（図５，図６）
ソレノイド９のコイル６が通電解除され、プランジャ７は圧縮コイルばね８の付勢力により前方に突出している。駆動アーム１１Ｌ，１１Ｒは第一回転位置で停止し、回動翼片５Ｌ，５Ｒは閉鎖位置を維持している。このとき、従動アーム２１Ｌ，２１Ｒの係止片２１ｃと駆動アーム１１Ｌ，１１Ｒの受止部１１ｃとは、第一回転軸線Ｏ１及び第二回転軸線Ｏ２よりも下方であり、かつ第一回転軸線Ｏ１の下方直下のロック位置ＬＰにて、駆動伝達部材１０及び従動伝達部材２０をロックしている。
【００４４】
＜Ｂ：非連動回転区間＞（図６〜図７）
ソレノイド９のコイル６が通電されると、プランジャ７は圧縮コイルばね８の付勢力に抗して後方に退入する。その退入前期において、駆動アーム１１Ｌ，１１Ｒが第一回転位置から反時計回りに所定角度駆動回転するまでは非連動回転区間であり、駆動アーム１１Ｌ，１１Ｒのみが回転し、従動アーム２１Ｌ，２１Ｒは停止状態を維持する。非連動回転区間では、駆動アーム１１Ｌ，１１Ｒの回転に伴い、受止部１１ｃが係止片２１ｃとのロック位置ＬＰから離間して、駆動伝達部材１０及び従動伝達部材２０をロック解除する。なお、非連動回転区間では、駆動アーム１１Ｌ，１１Ｒが回転するとき、従動アーム２１Ｌ，２１Ｒの突起部２１ｂは切欠部１１ｂ内を相対移動している。
【００４５】
＜Ｃ：連動回転区間＞（図７〜図８）
プランジャ７の退入後期において、切欠部１１ｂの下縁部側作用面が突起部２１ｂの下面と当接位置ＣＰにて当接してから、駆動アーム１１Ｌ，１１Ｒが第二回転位置に達するまでは連動回転区間であり、従動アーム２１Ｌ，２１Ｒが従動回転するように、駆動伝達部材１０と従動伝達部材２０とは同時に反時計回りに回転する。連動回転区間では、従動アーム２１Ｌ，２１Ｒは、突起部２１ｂの下面が切欠部１１ｂの下縁部側作用面で持ち上げられるように連れ回りするが、回転アーム長さの差（ＲＡ１＜ＲＡ２）により、突起部２１ｂと切欠部１１ｂとの当接位置ＣＰ（及び回転アーム長さＲＡ１，ＲＡ２）は若干変動する。また、連動回転区間の途中（例えば第二回転位置直前）では、従動アーム２１Ｌ，２１Ｒの切欠状凹部２１ｄにおいて下縁部に形成される受け面（作用面）が回動翼片５Ｌ，５Ｒの突出部５ｂ下面に当接すると、突出部５ｂを蹴り上げるように作用し、回動翼片５Ｌ，５Ｒを回動軸線Ｏ周りで開放位置へ向けて回動する。なお、連動回転区間において、受止部１１ｃと係止片２１ｃとのロック解除状態は継続している。
【００４６】
＜Ｄ：第二回転位置＞（図８，図９）
プランジャ７が完全退入し、駆動アーム１１Ｌ，１１Ｒが第二回転位置で停止すると、回動翼片５Ｌ，５Ｒは開放位置となる。なお、第二回転位置において、受止部１１ｃと係止片２１ｃとのロック解除状態、及び切欠部１１ｂの下縁部側作用面と突起部２１ｂの下面との当接状態は継続している。ただし、第二回転位置において、切欠状凹部２１ｄの下縁部側作用面と突出部５ｂの下面との当接状態は、回動翼片５Ｌ，５Ｒのタイプにより異なる場合がある。すなわち、両回動翼片５Ｌ，５Ｒの重心位置が比較的接近して（可変入賞口１Ｖ寄り）設定される自立型では上記当接状態が継続し、両回動翼片５Ｌ，５Ｒの重心位置が比較的離間して（可変入賞口１Ｖ遠方）設定される傾倒型では非当接状態となる場合がある。
【００４７】
駆動アーム１１Ｌ，１１Ｒが第二回転位置から第一回転位置（回動翼片５Ｌ，５Ｒが開放位置から閉鎖位置）に戻る時の入賞装置１の作動は、Ｄ→Ｃ→Ｂ→Ａの順に引き返すことになる。
【００４８】
ただし、Ｃはプランジャ７の進出前期となり、駆動アーム１１Ｌ，１１Ｒの第二回転位置から、切欠部１１ｂの下縁部側作用面と突起部２１ｂの下面とが当接位置ＣＰにて当接状態を維持する連動回転区間として、駆動伝達部材１０と従動伝達部材２０とは同時に時計回りに回転する。また、連動回転区間の途中（例えば連動回転区間の終了間際）では、切欠状凹部２１ｄの上縁部側作用面が突出部５ｂの上面に当接すると、突出部５ｂを押さえ込むように作用し、回動翼片５Ｌ，５Ｒを回動軸線Ｏ周りで閉鎖位置へ向けて回動する。一方、Ｂはプランジャ７の進出後期となり、駆動アーム１１Ｌ，１１Ｒが連動回転区間の終点から時計回りに第一回転位置に達するまでの非連動回転区間として、駆動アーム１１Ｌ，１１Ｒのみが駆動回転し、従動アーム２１Ｌ，２１Ｒは停止状態となる。
【００４９】
ところで、例えば、回動翼片５Ｌ，５Ｒに遊技球（入賞球）が載った状態で駆動アーム１１Ｌ，１１ＲがＡの第一回転位置に戻り、回動翼片５Ｌ，５Ｒを閉鎖位置とする場合には、切欠状凹部２１ｄの上縁部側作用面と突出部５ｂの上面との当接状態（図７）が比較的長期間維持される傾向が強くなる。その結果、従動伝達部材２０は駆動伝達部材１０に対して遅れ気味に連動してＢの非連動回転区間からＡの第一回転位置に戻り、回動翼片５Ｌ，５Ｒを閉鎖位置とする際に、受止部１１ｃ（駆動アーム１１Ｌ，１１Ｒ）が係止片２１ｃ（従動アーム２１Ｌ，２１Ｒ）を押し込むようにロックする場合がある。
【００５０】
さらに、水平状態の遊技盤１０１に対し、駆動軸線Ｄが上下方向を向き、かつ回動翼片５Ｌ，５Ｒが閉鎖位置になるように保持しつつ、入賞装置１を組み付ける場合がある。本実施例では、第一回転軸線Ｏ１（第一回転軸１１ａ）、第二回転軸線Ｏ２（第二回転軸２１ａ）及びロック位置ＬＰが駆動軸線Ｄに対してすべて同じ側に位置するために、係止片２１ｃと受止部１１ｃとのロックが外れにくく（解除されにくく）、回動翼片５Ｌ，５Ｒが閉鎖位置（図６参照）からのずれ（ばたつき）を生じにくくなるので、熟練者でなくても組立が容易である。
【００５１】
なお、本実施例では、駆動アクチュエータとしてソレノイド９を用いているが、その他リニアステッピングモータ等を採用できる。また、ロック機構を構成する係止片２１ｃと受止部１１ｃについて、
（１）左右で各々の形状を変えたり、ロック位置ＬＰを変更したりすることによって、ロック作動及びロック解除タイミング等を左右で異ならせてもよい。
（２）左右いずれか一方に設けてもよい。
【符号の説明】
【００５２】
１      入賞装置（遊技機用入賞装置）
１Ｖ    可変入賞口
１Ｒ    固定入賞口
２      台板
３      ケース体
４      前側装飾部
５Ｌ，５Ｒ  回動翼片
５ａ    回動軸
５ｂ    突出部
６      コイル
７      プランジャ（駆動部）
７ａ    プランジャヘッド
８      圧縮コイルばね
９      ソレノイド（駆動アクチュエータ）
１０    駆動伝達部材（第一伝達部材）
１１Ｌ，１１Ｒ  駆動アーム
１１ａ  第一回転軸
１１ｂ  切欠部（駆動側係合部；係合部；連動機構）
１１ｃ  受止部（駆動側ロック部；ロック部；ロック機構）
１２，１２  連結部
２０    従動伝達部材（第二伝達部材）
２１Ｌ，２１Ｒ  従動アーム
２１ａ  第二回転軸
２１ｂ  突起部（従動側係合部；係合部；連動機構）
２１ｃ  係止片（従動側ロック部；ロック部；ロック機構）
２１ｄ  切欠状凹部
２２    連結部
１００  パチンコ機（遊技機）
Ｏ      回動軸線
Ｏ１    第一回転軸線
Ｏ２    第二回転軸線
Ｄ      駆動軸線
Ｌ      離間距離
ＬＰ    ロック位置
ＬＡ１  第一ロックアーム長さ
ＬＡ２  第二ロックアーム長さ
ＣＰ    当接位置
ＲＡ１  第一回転アーム長さ
ＲＡ２  第二回転アーム長さ
【図１】
0005586430.tif 000002
【図２】
0005586430.tif 000003
【図３】
0005586430.tif 000004
【図４】
0005586430.tif 000005
【図５】
0005586430.tif 000006
【図６】
0005586430.tif 000007
【図７】
0005586430.tif 000008
【図８】
0005586430.tif 000009
【図９】
0005586430.tif 000010